(57)【要約】【課題】  蓋体の上方が狭い場所であっても容易に開閉でき、蓋体を開けたとき、連結部品が破損したり蓋体が落下したりするのを防ぎ、使い勝手に優れること。【解決手段】  蓋体３は、容器本体２の開口部に取り付けられた窓枠状のフレーム４に開閉可能に連結される蓋構造となっている。フレーム４は、容器本体２の開口部に適合する四角の窓枠状をなし、上部の周縁にこれに沿って突出するレール部４１が設けられる。蓋体３は、第１の蓋構成体３１と第２の蓋構成体３２とからなる。第１の蓋構成体３１がフレーム４の奥部に連結部品としてのヒンジを介して回動自在に取り付けられる。第１の蓋構成体３１と第２の蓋構成体３２間にもヒンジが設けられ、該ヒンジによって互いに折り畳み自在とされている。【選択図】  図３
2005082281.tif 000002
【特許請求の範囲】
【請求項１】
容器本体に取り付けられる窓枠状をなすフレームに、蓋体が開閉可能に取り付けられる蓋構造において、
前記蓋体は、一方の蓋構成体と、該蓋構成体と互いに折り畳み自在とされると共に、前記フレームに回動自在に連結される他方の蓋構成体とからなり、
前記一方の蓋構成体と前記他方の蓋構成体間に手掛け部が設けられ、
該手掛け部が引き上げられたとき、前記一方の蓋構成体が前記フレーム上を走行して他方の蓋構成体と折り畳まれた状態で前記フレームの開口部を開くことを特徴とする蓋構造。
【請求項２】
請求項１記載の蓋構造において、
前記手掛け部は、前記一方の蓋構成体において前記他方の蓋構成体の先端部に設けられた凹部から一定距離離れた位置に設けられていることを特徴とする蓋構造。
【請求項３】
請求項１又は２記載の蓋構造において、
前記フレームは、開口部を形成する周縁に突起が設けられていることを特徴とする蓋構造。
【請求項４】
上部が開口された収納部を有する容器本体と、該容器本体の開口部に取り付けられる請求項１から３のいずれか記載の蓋構造とを備えることを特徴とする収納容器。
【請求項５】
請求項４記載の収納容器において、
容器本体は、支点を中心に回動自在に支持された操作ペダルと、
一端が操作ペダルに他端が前記蓋構造における前記他方の蓋構成体に連結された応動レバーとを備えることを特徴とする収納容器。
【発明の詳細な説明】
【技術分野】
【０００１】
この発明は、蓋構造及び収納容器に係り、詳しくは、家庭等で発生するゴミなどを収納容器に入れたり、収納容器から取出したりするのに好適な蓋構造と、その蓋構造を備えた収納容器に関する。
【背景技術】
【０００２】
家庭等で発生したゴミなどを収納する収納容器にあっては、上部が単に開口されたものの他、その開口部に蓋体が設けられたものなど種々提案されている（例えば、特許文献１参照）。
そして、開口部に蓋体が設けられた収納容器は、蓋体がヒンジ等の連結部品によって開閉自在とされ、通常では収納容器を閉じておき、ゴミなどを入れるときには蓋体を開け、入れた後には蓋体を閉じることで、外から容器の内部が見えないようにして、容器内のゴミなどが放つ悪臭等を遮断するようにしている。
【特許文献１】実用新案登録第３０８３１７１号公報（第７−９頁、図１−図５）
【発明の開示】
【発明が解決しようとする課題】
【０００３】
ところで、上記従来の蓋構造においては、蓋体が収納容器にヒンジ等の連結部品によって開閉自在に取り付けられているので、蓋体の開閉を簡単に行うことができるものの、蓋体の大きさによっては設置される場所が制限される問題があった。
つまり、蓋体を開いたとき、蓋体が収納容器の開口部から起立した状態となるが、蓋体が単に一枚の板状体に形成されているので、蓋体を開いたときにはその蓋体の長さ分だけ高さが増えてしまうので、収納容器の上方に蓋体を開くためのスペースが要求されてしまい、蓋体より大きな高さの場所でしか使用することができないという問題があった。
また、蓋体が一枚の板状体であると、利用者によって開けられたとき、その力が蓋体を連結している連結部品に作用して該連結部品が破損して蓋体が落下したりするばかりでなく、連結部品を設けている収納容器そのものが破損したりする問題もあった。
【０００４】
この発明は、このような事情を考慮してなされたもので、その目的は、蓋体の上方が狭い場所であっても容易に開閉することができ、また蓋体を開けたとき、ヒンジが破損したり蓋体が落下したりするのを防ぐこともでき、使い勝手に優れた蓋構造及び収納容器を提供することにある。
【課題を解決するための手段】
【０００５】
上記目的を達成するために、この発明は以下の手段を提案している。
請求項１に係る発明は、容器本体に取り付けられる窓枠状をなすフレームに、蓋体が開閉可能に取り付けられる蓋構造において、前記蓋体は、一方の蓋構成体と、該蓋構成体と互いに折り畳み自在とされると共に、前記フレームに回動自在に連結される他方の蓋構成体とからなり、前記一方の蓋構成体と前記他方の蓋構成体間に手掛け部が設けられ、該手掛け部が引き上げられたとき、前記一方の蓋構成体が前記フレーム上を走行して他方の蓋構成体と折り畳まれた状態で前記フレームの開口部を開くことを特徴とする。
請求項２に係る発明は、請求項１記載の蓋構造において、前記手掛け部は、前記一方の蓋構成体において前記他方の蓋構成体の先端部に設けられた凹部から一定距離離れた位置に設けられていることを特徴とする。
請求項３に係る発明は、請求項１又は２記載の蓋構造において、前記フレームは、開口部を形成する周縁に突起が設けられていることを特徴とする。
請求項４に係る発明は、上部が開口された収納部を有する容器本体と、該容器本体の開口部に取り付けられる請求項１から３のいずれか記載の蓋構造とを備えることを特徴とする。
請求項５に係る発明は、請求項４記載の収納容器において、容器本体は、支点を中心に回動自在に支持された操作ペダルと、一端が操作ペダルに他端が前記蓋構造における前記他方の蓋構成体に連結された応動レバーとを備えることを特徴とする。
【発明の効果】
【０００６】
請求項１に係る発明によれば、蓋体の一方の蓋構成体と他方の蓋構成体とが互いに折り畳まれることで蓋体を開くように構成したので、蓋体を開いたときの高さ寸法を小さくすることができ、従って、台所などのような小スペースの場所でも有効に利用することができ、また利用者が手掛け部を持ち上げて蓋体を開けても、他方のの蓋構成体とフレームとを連結している連結部品に大きな力が生じることがなくなり、連結部品が開けるときの力で破損して蓋体が落下したりするのを防止することができ、蓋体の開閉を良好に行うことができて使い勝手が良好となる効果が得られる。
【０００７】
請求項２に係る発明によれば、手掛け部が蓋体に設けられた凹部から一定距離離れた位置に突出して設けられているので、手掛け部に容易に手を引き掛けることができるばかりでなく、一方の蓋構成体と他方の蓋構成体とが折り畳まれるときに、両蓋構成体間に手が挟まれるおそれがなくなり、開閉操作をスムースに行うことができ、使い勝手がいっそう良好となる効果が得られる。
【０００８】
請求項３に係る発明によれば、蓋体を開けたとき、一方の蓋構成体の先端が突起に引き掛かることで、一方の蓋構成体をフレーム上の途中の位置に確実に係止できるので、開いた蓋体が不用意に閉じてしまうのを回避することができ、これにより、小物（少量）のゴミなどを捨てるのにいちいち蓋体を全部開けることが不要になるので、蓋構造としての信頼性をそれだけ高めることが、使い勝手がより良好となっていっそう有益となる効果が得られる。
【０００９】
請求項４に係る発明によれば、蓋体の一方の蓋構成体と他方の蓋構成体とが互いに折り畳まれることで容器本体を開くように構成したので、蓋体の上方のスペースが限られた場所であっても収納容器を設置することが可能となり、また利用者が手掛け部を持ち上げて蓋体を開けても、他方の蓋構成体とフレームとを連結している連結部品に大きな力が生じることがなくなり、連結部品が開けるときの力で破損して蓋体が落下したりするのを防止することができ蓋体の開閉を良好に行うことができ、使い勝手の良好な収納容器を提供できる効果が得られる。
【００１０】
請求項５に係る発明によれば、操作ペダルを踏むと、該操作ペダルが回動すると共に応動レバーが応動するので、蓋体の他方の蓋構成体を突き上げ、一方の蓋構成体が回動し、その回動動作に連動して他方の蓋構成体が一方の蓋構成体側に折り畳まれながらフレーム上を走行する結果、一方の蓋構成体と他方の蓋構成体とが互いに折り畳まれ、容器本体の開口部を開けることができるので、足踏みで蓋体を開閉できる収納容器にも良好に使用することができる効果が得られる。
【発明を実施するための最良の形態】
【００１１】
以下、図面を参照し、この発明の実施の形態について説明する。図１から図５はこの発明の第１の実施の形態に係る収納容器を示す図である。
図１及び図２に示す収納容器１は、容器本体２と、この容器本体２に取り付けられる蓋体３とを備えている。そして、蓋体３は、容器本体２の開口部に取り付けられた窓枠状のフレーム４に開閉可能に取り付けられる蓋構造となっている。
フレーム４は、図３に示すように、容器本体２の開口部に適合する四角の窓枠状をなしており、上部の周縁にこれに沿って突出するレール部４１が設けられ、レール部４１より内側の範囲が上下方向に開放されて開口部をなしている。
【００１２】
蓋体３は、レール部４１の外側に容易に嵌め込める大きさの矩形状をなしており、図１〜図３に示すように、第１の蓋構成体３１と第２の蓋構成体３２とからなっている。これら第１の蓋構成体３１と第２の蓋構成体３２とのうち、第１の蓋構成体３１は、蓋体３の略後部側半分をなす大きさに形成され、フレーム４の基部（容器本体２の奥部側）に連結部品としてのヒンジ５を介して回動自在に取り付けられている。ヒンジ５は、図４（ａ）に示すように、第１の蓋構成体３１の後部の両側にピン部５ａがそれぞれ設けられ、フレーム４がピン部５ａを挿入できるように形成されている。第２の蓋構成体３２は、蓋体３の前部側半分をなす大きさに形成されている。
【００１３】
そして、第１の蓋構成体３１と第２の蓋構成体３２間に設けられたヒンジ３３によって図３に示すように互いに折り畳み自在とされている。ヒンジ３３は、図４（ａ）及び図５に示すように、第１の蓋構成体３１の先端部に設けられた先端板３４の両側に側方に突出するピン部３５がそれぞれ設けられる一方、図４（ｂ）に示すように、第２の蓋構成体３２の後端部にピン部３５を係止する係止部３６が設けられている。係止部３６は、第２の蓋構成体３２の後端部において、両ピン部３５に対応するよう下方に垂下させて対向形成されており、それぞれの下部に設けられた孔３７にピン部３５を挿入することで係止できるようになっている。
【００１４】
従って、第１の蓋構成体３１に設けられたピン部３５と、第２の蓋構成体３２に設けられた係止部３６の孔３７とでヒンジ３３が構成され、第１の蓋構成体３１のピン部３５が第２の蓋構成体３２の孔３７に係止されることで、第１の蓋構成体３１に対しピン部３５の軸線を中心として第２の蓋構成体３２が回動し、これによって第１の蓋構成体３１と第２の蓋構成体３２とが互いに折り畳み自在とされている。
【００１５】
また、蓋体３には、これを開閉するための手掛け部６が設けられている。この手掛け部６は、図１〜図３及び図４（ｂ）に示すように、第２の蓋構成体３２の後端において、第１の蓋構成体３１の先端側に設けられた凹部３８から離れた位置に設けられている。即ち、手掛け部６は、図２に示すように、第２の蓋構成体３２の後端部において凹部３８の中央部から一定距離Ｌだけ離れた位置に第１の蓋構成体３２方向に向かい略平行に突設され、蓋体３を開けるとき、利用者が手を凹部３８に入れて手掛け部６を図３に示す矢印方向Ａに引き上げると、第１の蓋構成体３１と第２の蓋構成体３２とが矢印方向Ｂに移動しながら互いに折り畳まれ、これによって蓋体３が開けられるようになっている。
【００１６】
凹部３８は、図１、図２、図４（ａ）及び図５に示すように、第１の蓋構成体３１の先端部において、その中央部分が円弧形状に凹んで形成されている。この場合、凹部３８は、図２に示すように、その中央部が最も広くなるように扇形状に彎曲しており、手の大きな利用者であっても十分な余裕をもって中央部の箇所に手が入れられる大きさをなしている。
【００１７】
このような蓋構造において、フレーム４が容器本体２の開口部に取り付けられることで、第１の蓋構成体３１と第２の蓋構成体３２とが互いに折り畳み可能な蓋体３を有する収納容器１が構成されるようになっている。
なお、第１、第２の蓋構成体３１及び３２には、フレーム４のレール部４１を取り囲むよう、図４に示すように縁部３ａ、３ｂが設けられる他、図示していないが、補強のためのリブが適宜数設けられている。図１、図２及び図５において、符号３９は凹部３８に設けられた複数の微小突起、図１〜図３において、符号６１は手掛け部６に設けられた微小突起である。
【００１８】
実施形態の蓋構造は、上記のように構成されているので、次にその取り扱いについて以下に説明する。
いま、蓋体３がフレーム４を介し収納容器１の容器本体２に取り付けられてあって、閉じられた状態にあるとする。このとき、利用者が容器本体２の中にゴミなどを入れようとすると、まず、蓋体３に設けられている手掛け部６に指を引き掛け、その状態で手掛け部６を図３に示す矢印方向Ａのように上方に持ち上げると、蓋体３の第１の蓋構成体３１の後端部がフレーム４にヒンジ５によって取り付けられると共に、第１の蓋構成体３１と第２の蓋構成体３２とがヒンジ３３によって折り畳み自在とされているので、第１の蓋構成体３１がフレーム４に対しヒンジ５を中心として回動されることで持ち上げられると共に、その第１の蓋構成体３１の内側に第２の蓋構成体３２が重なるよう、フレーム４のレール部４１上を矢印方向Ｂに走行して折り畳まれる形態となるので、フレーム４及び容器本体２が開口されることとなる。また、閉じる場合には、利用者が手掛け部６を押して第２の蓋構成体３２及び第１の蓋構成体３１を元に戻すことで行われる。
【００１９】
即ち、蓋体３の第１の蓋構成体３１と第２の蓋構成体３２とが互いに内側で重なり合うように折り畳まれた状態でフレーム４及び容器本体２の開口部を開くので、従来技術のように蓋全体が内側を全体的に晒すように開くことがなくなり、蓋体３を開いたときの高さ寸法を小さくすることができ、これにより、台所などのような小スペースの場所でも有効に利用することができる。
従って、開いたときの蓋体のスペースを小さくできることで、台所等のようなに高さ寸法が制約されるような場所にも収納容器を設置することができる。
【００２０】
また、利用者が手掛け部６を持ち上げて蓋体３を開けたとき、その力が蓋体３及びヒンジ５に作用するが、上述したように、第１の蓋構成体３１と第２の蓋構成体３２とが互いに折り畳まれる構成であるので、従来技術のように蓋体が一体品からなるものと異なり、蓋体３０を開けたときの力が第１、第２の蓋構成体３１、３２とに分散されるばかりでなく、第２の蓋構成体３２の先端がフレーム４のレール部４１上を走行することでフレーム４にも分散され、そのため、第１の蓋構成体３１とフレーム４とを連結しているヒンジ５に大きな力が生じることがなくなり、ヒンジ５のような連結部品が開けるときの力で破損して蓋体が落下したりするのを防止することができ、蓋体３の開閉を良好に行うことができる。
【００２１】
更に、第１の蓋構成体３１と第２の蓋構成体３２とが互いに内側で重なり合うよう折り畳まれて開かれると、第２の蓋構成体３２がフレーム４上に停止したままであって、第１の蓋構成体３１と共に、その状態を保持するので、利用者が手掛け部６を釈放しても、蓋体３の開いた状態を維持することができ、そのため、容器本体２にゴミなどを連続して投入するときには便利となる。
【００２２】
そして、蓋体３を開けるに際し、手掛け部６が持ち上げられると、第２の蓋構成体３２が第１の蓋構成体３１の持ち上がり動作に連動し、第２の蓋構成体３２の先端部がフレーム４に設けられたレール部４１上を走行するので、蓋体全体をいちいち持ち上げる必要がなくなり、手掛け部を単に持ち上げる操作を行うだけで蓋体３を容易に開くことができ、しかも、開けられたとき、手掛け部６を蓋体の前方に押すと、第２の蓋構成体３２がレール部４１上をスライドすることで第２の蓋構成体３２と第１の蓋構成体３１との折り畳まれた状態が次第に解除され、両蓋構成体３１、３２でフレーム４が閉じられるので、蓋体３の開閉をいっそう簡単に行うことができる。
【００２３】
また、手掛け部６が蓋体３に設けられた凹部３８から一定距離離れた位置に突出して設けられているので、手掛け部６に容易に手を引き掛けることができるばかりでなく、第１の蓋構成体３１と第２の蓋構成体３２とが折り畳まれるときに、両蓋構成体３１、３２間に手が挟まれるおそれがなくなり、開閉操作をスムースに行うことができ、使い勝手がいっそう良好となる。
【００２４】
また更に、この収納容器１によれば、第１の蓋構成体３１と第２の蓋構成体３２とが互いに折り畳まれることでフレーム４を介して容器本体２を開くように構成したので、蓋体３の上方のスペースが限られた場所であっても収納容器１を設置することが可能となり、また利用者が手掛け部６を持ち上げて蓋体３を開けても、第１の蓋構成体３１とフレーム４とを連結しているヒンジ５に大きな力が生じることがなくなり、ヒンジ５の連結部品が開けるときの力で破損して蓋体３が落下したりするのを防止することができ蓋体３の開閉を良好に行うことができ、使い勝手の良好な収納容器を提供することができる。
【００２５】
なお、フレーム４のレール部４１上においては、例えば図６に示すように、第１及び第２の蓋構成体３１、３２の走行方向に沿って複数の突起４２を設けておき、蓋体３を開けたとき、第２の蓋構成体３２の先端が突起４２に引き掛かることで、第２の蓋構成体３２をレール４１上の途中の位置に確実に係止できるようになっている。従って、フレーム４の周縁のレール部４１に突起４２を設けておくと、開いた蓋体３が不用意に閉じてしまうのを回避することができ、これにより、小物（少量）のゴミなどを捨てるのにいちいち蓋体３を全部開けることが不要になるので、蓋構造としての信頼性をそれだけ高めることが、使い勝手がより良好となっていっそう有益となる。
【００２６】
図７〜図９は、この発明の第２の実施の形態に係る収納容器を示している。
この実施形態では、収納容器１の容器本体２の底部に、操作ペダル７が設けられている。操作ペダル７は、容器本体２の奥行き方向に略相当する長さをなしており、その長さ方向の途中部分がピン７１によって枢着されることでピン７１を中心に回動自在に取り付けられ、また前部には利用者が足を載せることができるようペダル部７２が設けられている。
【００２７】
そして、操作ペダル７と蓋体３間が応動レバー８によって連結されている。即ち、応動レバー８は、容器本体の高さ方向に向けて設けられており、その一端が操作ペダル７に図示しないピンなどによって連結されると共に、その他端が蓋体３の第１の蓋構成体３１に設けられた連結部材９を介して連結されている。連結部材９は、この実施形態においては第１の蓋構成体３１の内側に装着されてあって、応動レバー８の他端と連結されている。
【００２８】
この収納容器１は、図８に示すように、蓋体３が容器本体２を閉じた状態にあるとき、利用者が、図９において矢印Ｃのように操作ペダル７のペダル部７２を踏むと、操作ペダル７がピン７１を支点として反時計方向に回動すると共に、その回動によって応動レバー８が上方に応動するので、蓋体３の第１の蓋構成体３１の後部側を突き上げる。これにより、第１の蓋構成体３１が図９に示す矢印Ｄのようにヒンジ３３を中心として時計方向に回動すると共に、この第１の蓋構成体３１の回動動作に連動して第２の蓋構成体３２が第１の蓋構成体３１側に折り畳まれながらフレーム４上を矢印方向Ｅに走行する結果、図７に示すように第１の蓋構成体３１と第２の蓋構成体３２とが互いに折り畳まれ、容器本体２の開口部を開けることができるようになっている。
なお、閉じる場合には、第１の実施形態と同様、利用者が手掛け部６を押して第２の蓋構成体３２を元に戻すことで行われる。
【００２９】
この実施形態によれば、蓋体３が操作ペダル７を備えた容器本体２に設置されることで、蓋体３として的確に機能させることができるので、足踏み式の収納容器１に利用でき、従って、手の操作で蓋体を開閉できる収納容器に使用できるのは勿論、足踏みで蓋体を開閉できる収納容器にも良好に使用することができる。
【００３０】
なお、以上の図示実施の形態において、蓋体３の第２の蓋構成体３２に手掛け部６が設けられた例を示したが、第１の蓋構成体３１に設けられても同様の作用効果を得ることができる。また、蓋体３の第１の蓋構成体３１と第２の蓋構成体３２とがヒンジ３３折り畳み可能とされた例を示したが、その具体的構成は図示例に限定されるものではなく、要は、所期の機能を得ることができればよい。
【図面の簡単な説明】
【００３１】
【図１】この発明の第１の実施の形態に係る収納容器を示す全体斜視図である。
【図２】収納容器を示す説明用平面図である。
【図３】収納容器に装着された蓋体が折り畳まれて開かれる状態を示す斜視図である。
【図４】蓋体を示す図であって、（ａ）は第１の蓋構成体を示す縦断面図、（ｂ）は第２の蓋構成体を示す縦断面図である。
【図５】蓋体の第１の蓋構成体に設けられたヒンジ及び凹部を示す破断の斜視図である。
【図６】フレームのレール部に突起が設けられた要部を示す拡大説明図である。
【図７】この発明の第２の実施の形態に係る収納容器を示す、蓋体の第１の蓋構成体と第２の蓋構成体とが折り畳まれた状態を示す斜視図である。
【図８】収納容器を示す全体の縦断説明図である。
【図９】同じく収納容器の蓋体が開かれる状態を示す説明用断面図である。
【符号の説明】
【００３２】
１    収納容器
２    容器本体
３    蓋体
４    フレーム
３１    第１の蓋構成体
３２    第２の蓋構成体
３８    凹部
４２    突起
６    手掛け部
【図１】
2005082281.tif 000003
【図２】
2005082281.tif 000004
【図３】
2005082281.tif 000005
【図４】
2005082281.tif 000006
【図５】
2005082281.tif 000007
【図６】
2005082281.tif 000008
【図７】
2005082281.tif 000009
【図８】
2005082281.tif 000010
【図９】
2005082281.tif 000011